(57)【要約】      （修正有）【課題】撮像装置の防水構造において、防水ケーブルと配管パイプが取り付け可能であり、小型、かつ、これらの接続形態の着脱が容易で、部品点数が少ないことを可能とする技術を提供する。【解決手段】本発明の撮像装置の防水構造は、筐体１０２と、前記筐体と外部機器とを接続するケーブル３と、前記筺体に配設されるとともに前記ケーブルが挿通可能な貫通孔１０３と、該貫通孔の軸に沿った筒状であり、かつ前記筺体に取付可能な支持部材５０１と、前記筺体と前記支持部材との間を密閉するように配設される第１のパッキン４０１と、前記ケーブルと前記支持部材との間を密閉するように配設される第２のパッキン３０１と、を備え、前記貫通孔の内周には第１のねじ部が形成されるとともに、前記支持部材は、該第１のねじ部と螺合可能な第２のねじ部と、鍔部と、該鍔部に対して前記第２のねじ部と反対側に形成された把手部を有する。【選択図】図１
2018084750.tif 000002
【特許請求の範囲】
【請求項１】
筐体と、
前記筐体と外部機器とを接続するケーブルと、
前記筺体に配設されるとともに前記ケーブルが挿通可能な貫通孔と、
該貫通孔の軸に沿った筒状であり、かつ前記筺体に取付可能な支持部材と、
前記筺体と前記支持部材との間を密閉するように配設される第１のパッキンと、
前記ケーブルと前記支持部材との間を密閉するように配設される第２のパッキンと、
を備え、
前記貫通孔の内周には第１のねじ部が形成されるとともに、
前記支持部材は、該第１のねじ部と螺合可能な第２のねじ部と、
鍔部と、該鍔部に対して前記第２のねじ部と反対側に形成された把手部とを有する
ことを特徴とする撮像装置の防水構造。
【請求項２】
前記筐体は円形状に形成されるとともに、
前記貫通孔は前記筐体の側面に配設される
ことを特徴とする請求項１に記載の撮像装置の防水構造。
【請求項３】
前記把手部は弾性体で形成されるとともに、
前記第２のねじ部とは異なる材質である
ことを特徴とする請求項１または２に記載の撮像装置の防水構造。
【請求項４】
前記ケーブルは少なくとも２つの単線部と集合部から成る複合ケーブルであり、
該集合部の端部は筐体の外面よりも外側へ配置される
ことを特徴とする請求項１乃至３のいずれか１項に記載の撮像装置の防水構造。
【発明の詳細な説明】
【技術分野】
【０００１】
本発明は防水ケーブルを取付可能なネットワーク監視カメラ等の撮像装置の防水構造に関する。
【背景技術】
【０００２】
ネットワーク監視カメラは、屋外で使用されるため、雨などでカメラが壊れないように外部機器との接続部に防水性が求められてきた。
【０００３】
カメラと外部機器はＬＡＮケーブルなどのケーブルで接続され、ケーブルとカメラの接続部で防水性が必要となる。
【０００４】
これまで防水性は、防水ケーブルや配管パイプを本体に接続することで達成されていた。
【０００５】
従来、ネットワーク監視カメラに接続する防水ケーブルの構造としては、特許文献１が提案されている。
【先行技術文献】
【特許文献】
【０００６】
【特許文献１】特開２００４−２６６１６２
【発明の概要】
【発明が解決しようとする課題】
【０００７】
しかしながら、特許文献１では、防水ケーブルを取り付けるために防水ケーブル用アタッチメントを取り付けるという構造としているため、防水ケーブルの着脱が容易ではなく、見た目が煩雑となっている。
【０００８】
また、防水ケーブルをカメラ本体と接続することはできるが、配管パイプはカメラ本体に取付構造がないため接続できない。
【０００９】
配管パイプ接続のために外付けで配管パイプ用アタッチメントを追加して取り付けるなどの構造が考えられるが、アタッチメントを本体に取り付けるためにビス固定などが必要となり、設置時にはこの作業が追加で必要となる分だけ設置作業性が悪化してしまう。
【００１０】
防水ケーブルと配管パイプによるカメラ本体と外部機器との接続は、カメラの設置環境に応じてそれぞれニーズがあり、両方の接続形態に対応することが望ましい。
【００１１】
また、カメラの設置環境に応じて２つの接続形態を使い分けるためには、どちらの接続形態でも着脱が容易であることが望ましい。
【００１２】
そこで、本発明は、撮像装置の防水構造において、防水ケーブルと配管パイプが取り付け可能であり、小型、かつ、これらの接続形態の着脱が容易で、部品点数が少ないことを可能とする技術を提供することを目的としている。
【課題を解決するための手段】
【００１３】
上記目的を達成するため、本発明では、
筐体と、
前記筐体と外部機器とを接続するケーブルと、
前記筺体に配設されるとともに前記ケーブルが挿通可能な貫通孔と、
該貫通孔の軸に沿った筒状であり、かつ前記筺体に取付可能な支持部材と、
前記筺体と前記支持部材との間を密閉するように配設される第１のパッキンと、
前記ケーブルと前記支持部材との間を密閉するように配設される第２のパッキンと、
を備え、
前記貫通孔の内周には第１のねじ部が形成されるとともに、
前記支持部材は、該第１のねじ部と螺合可能な第２のねじ部と、
鍔部と、該鍔部に対して前記第２のねじ部と反対側に形成された把手部を有することを特徴とする。
【発明の効果】
【００１４】
本発明によれば、撮像装置の防水構造において、防水ケーブルと配管パイプが取り付け可能であり、小型、かつ、これらの接続形態の着脱が容易で、部品点数が少ないことを可能とする技術を提供することができる。
【図面の簡単な説明】
【００１５】
【図１】本発明の第１の実施形態に係るネットワーク監視カメラの斜視図及び分解斜視図である。
【図２】本発明の第１の実施形態に係るネットワーク監視カメラのケーブル取付部の断面図である。
【図３】本発明の第１の実施形態に係る支持部材の斜視図である。
【図４】本発明の第２の実施形態に係る支持部材の斜視図、断面斜視図、分解斜視図である。
【図５】本発明の実施形態に係るネットワーク監視カメラに配管パイプを着脱した斜視図である。
【図６】本発明の実施形態に係るネットワーク監視カメラに配管パイプを接続した場合の接続部の断面図である。
【発明を実施するための形態】
【００１６】
以下に、図面を参照して、本発明の実施形態の一例を説明する。
【００１７】
（第１の実施形態）
図１（ａ）は、本発明の第１の実施形態に係るネットワーク監視カメラ１（以下、カメラ１という）の斜視図、（ｂ）は、分解斜視図である。
【００１８】
なお、本実施形態では、外部の画像監視センターなどのサーバ（監視装置）と有線により通信可能に接続されてサーバ側で撮像画像を監視する画像監視システムを構成するネットワーク監視カメラを例示するが、これに限定されない。
【００１９】
本実施形態のネットワーク監視カメラは、図１に示すように、円形状の筺体１０２及びドームカバー１０１によって形成される外装の内部に撮像ユニット２が設けられている。
【００２０】
ドームカバー１０１は、撮像ユニット２の撮影可能範囲の正面側（被写体側）に配置されて撮像ユニット２を保護する透明部材である。
【００２１】
ドームカバー１０１及び筺体１０２内には、撮像ユニット２の他に、不図示のプリント基板が設けられている。
【００２２】
プリント基板には、映像処理回路、通信処理回路、メモリ、電源系ＩＣなどが配設される。また外部インターフェースとして、ＲＪ４５コネクタ、外部入力／出力コネクタ、電源接続コネクタ、音声入力／出力コネクタ、ビデオアウトコネクタ、ＳＤカードなどの外部メモリコネクタなどが実装されている。
【００２３】
また、ドームカバー１０１及び筐体１０２内には、不図示のヒータ、マイク、スピーカ、ＬＥＤ、及びモータなどの電気部品が設けられ、各電気部品間は電気ケーブルやＦＰＣ、ＦＦＣ、などで接続されている。
【００２４】
ドームカバー１０１と上部筺体１０２ａとの間、及び上部筺体１０２ａと下部筺体１０２ｂとの間にそれぞれ不図示のシール材を介装させ、筺体１０２を密閉構造としている。
【００２５】
ケーブル３は、ＲＪ４５ケーブル３０２、音声ケーブル３０３、電源ケーブル３０４、ＧＮＤケーブル３０５、ＩＯケーブル３０６などの各々の単線部と、それらを集合部３０７でまとめた複合ケーブルである。
【００２６】
ケーブル３は、下部筺体１０２ｂの側面に挿通可能に設けられた貫通孔１０３を通し、ケーブル３のカメラ本体側の端に取り付けられた各コネクタ３０２ａ〜３０６ａをカメラ１の本体内の各種コネクタに接続する。そうすることにより、カメラ１と外部機器とを電気的に接続する。
【００２７】
図２は、本発明の第１の実施形態に係るネットワーク監視カメラ１のケーブル取付部の断面図である。
【００２８】
貫通孔１０３の内周には、第１のねじ部１０３ａが形成される。
【００２９】
支持部材５０１は、筒状であり、支持部材５０１の外周の端部には、下部筺体１０２ｂの第１のねじ部１０３ａに取付可能に螺合する第２のねじ部５０１ａが形成され、支持部材５０１の外周の中央部には鍔部５０１ｂが形成されている。
【００３０】
また、支持部材５０１の外周上の鍔部５０１ｂに対して第２のねじ部５０１ａの反対側に把手部５０１ｃが形成されている。
【００３１】
支持部材５０１には、カメラ１本体からみて、第２のねじ部５０１ａ、鍔部５０１ｂ、把手部５０１ｃの順に設けられている。
【００３２】
把手部５０１ｃは、設置者が手や工具を使って下部筺体１０２ｂの第１のねじ部１０３ａと支持部材５０１の第２のねじ部５０１ｃを螺合させるためにユーザが把持するための形状である。図１および図２では、把手部５０１ｃの全周にリブを設けた形状としている。
【００３３】
支持部材５０１と下部筺体１０２ｂの間の防水性を満足させるため、支持部材５０１と貫通孔１０３の間には、弾性体から成る円環状の第１のパッキン４０１が挟持される。
【００３４】
貫通孔１０３の第１のねじ部１０３ａのカメラ１外側には、溝部１０４が形成されている。
【００３５】
支持部材５０１が下部筺体１０２ｂにねじ込まれると、鍔部５０１ｂと溝部１０４の間に挟まれた第１のパッキン４０１が潰れることにより、反発力が発生し、支持部材５０１と下部筺体１０２ｂの間の防水性が満足される。
【００３６】
ケーブル３と支持部材５０１の間の防水性を満足させるため、ケーブル３と支持部材５０１の間には、弾性体からなる第２のパッキン３０１が配設される。
【００３７】
第２のパッキン３０１は、筒状であり、カメラ１側に全周に設けられた第１のツメ部３０１ａ、第１のツメ部３０１ａの対向側に全周に設けられた第２のツメ部３０１ｂが形成される。
【００３８】
支持部材５０１には、把手部５０１ｃの内周全周に凸部５０１ｄが形成され、第１のツメ部３０１ａ、第２のツメ部３０１ｂ、凸部５０１ｄによってケーブル３と支持部材５０１の間の防水性が満足される。
【００３９】
第２のパッキン３０１のケーブル３の集合部３０７と接する内側には全周に腕部３０１ｃが形成されており、腕部３０１ｃがケーブル３の集合部３０７と当接することで、ケーブル３と第２のパッキン３０１の間の防水性が満足される。
【００４０】
また、さらに防水性を向上させるために、第２のパッキン３０１の腕部３０１ｃの外周に不図示の結束バンドを集合部３０７を締め付けるように取り付けてもよい。
【００４１】
但し、第２のパッキン３０１は、弾性体から成るためケーブル３の集合部３０７を締め付けるようにも構成できるため、この締付力のみで防水性が満足できる場合は、結束バンドは必ずしも本発明の構成に必須な部材ではない。
【００４２】
また、図２では腕部３０１ｃはカメラ１本体外側に伸びるように構成したが、反対側すなわちカメラ１側に伸びるように構成してもよい。
【００４３】
第１のツメ部３０１ａの端部には、斜面部３０１ｄが形成される。
【００４４】
第２のパッキン３０１は、斜面部３０１ｄが形成されることで、支持部材５０１に対して、Ａ方向に押し込んで取り付け可能である。
【００４５】
凸部５０１ｄには、斜面部５０１ｅが形成されることで、より容易に取り付け可能となる。
【００４６】
各ケーブルのコネクタ３０２ａ〜３０６ａは、撮像ユニット２に配設される不図示のコネクタに接続される。
【００４７】
接続するケーブル３はコシが柔らかい方が限られた空間でのケーブル取り回しがしやすい。
【００４８】
ケーブル３の集合部３０７は、複数のケーブルがひとまとめになっているため単線のケーブルと比較するとコシが強い。
【００４９】
そこで、カメラ１本体側のケーブル端部３０７ａは、コシが強い部分がカメラ１本体に入り込むほどケーブル取り回しは難しくなるため、可能な限りカメラ１本体の外側になることが望ましい。
【００５０】
これについて、支持部材５０１は、第１のねじ部１０３ａと第２のねじ部５０１ａが螺合される時、鍔部５０１ｂがＡ方向のストッパーとなる。そのため、把手部５０１ｃによってカメラ１本体より凸になっていることにより、ケーブル端部３０７ａをカメラ１本体外筺１０５より外側に配置できる。
【００５１】
この構成により、コシの強いケーブル集合部３０７をカメラ１本体より外側、すなわち、端部３０７ａが下部筺体１０２ｂの外面１０５よりもカメラ１本体の外側に位置することができる。そうすることにより、ケーブル取り回しのためのカメラ１本体内の空間をできるだけ小さくすることができるため、カメラ１本体の小型化が実現できる。
【００５２】
図３（ａ）（ｂ）（ｃ）は、本発明の第１の実施形態に係る支持部材５０１の把手部５０１ｃがそれぞれ全周リブ形状、六角形状、二方取り形状の場合の斜視図である。
【００５３】
図３（ａ）は、支持部材５０１の把手部５０１ｃが全周リブ形状５０１ｃの場合の斜視図である。
【００５４】
全周リブ形状５０１ｃは、手で掴んだ時に指がかかりグリップ力が高いため、固定部材５０１をねじ部１０３ａに取り付けるように手で締め付けることが可能である。
【００５５】
図３（ｂ）は、支持部材５０１の把手部５０１ｃが六角形状５０１ｆの場合の斜視図である。
【００５６】
六角形状５０１ｆは、スパナやモンキーレンチなどの一般的な工具により、固定部材５０１を第１のねじ部１０３ａに取り付けるように締め付けることが可能であり、かつ、平面部に指をひっかけることにより、手で締付けることも可能である。
【００５７】
図３（ｃ）は、支持部材５０１の把手部５０１ｃが二方取り形状５０１ｇの場合の斜視図である。
【００５８】
二方取り形状５０１ｇは、スパナやモンキーレンチなどの一般的な工具により、固定部材５０１を第１のねじ部１０３ａに取り付けるように締め付けることが可能であり、かつ、平面部に指をひっかけることにより、手で締め付けることも可能である。
【００５９】
さらに六角形状５０１ｆよりも形状が簡素なため、支持部材５０１の部品コストを削減することができる。
【００６０】
（第２の実施形態）
図４（ａ）は、本発明の第２の実施形態に係る支持部材５０１の把手部５０１ｃが弾性体で形成された場合の斜視図、図４（ｂ）は、断面図、図４（ｃ）は、分解斜視図である。
【００６１】
支持部材５０１ｈは剛体で形成され、把手部５０１ｉは、弾性体で形成される。
【００６２】
支持部材５０１ｈと把手部５０１ｉはインサート成形や２色成形など異なる材質で形成され、２部材の当接面において密着している。
【００６３】
また、２部材の密着性を高めるため、支持部材５０１ｈの全周に少なくとも１つの穴部５０１ｊを設け、穴部５０１ｊの内側に把手部５０１ｉが入り込む構成とする。
【００６４】
さらに、支持部材５０１ｈの全周に少なくとも１つのリブ部５０１ｋを設ける構成とすることで、リブ部５０１ｋは把手部５０１ｉと当接面の表面積を増やすことができ、密着性を上げることができる。
【００６５】
これらにより、把手部５０１ｉを回す時などの外力が加わった時でも、２部材が引き剥がれることを防ぐことができる。
【００６６】
また、図４では、把手部５０１ｉを全周リブの場合で図示したが、図３（ｂ）（ｃ）で示したような六角形状５０１ｆや二方取り形状５０１ｇなどその他の把手のような形状であれば、形状は任意である。
【００６７】
ここでは、支持部材５０１ｈと把手部５０１ｉは一体で形成される例を示したが、２部材を密着させるという目的が達成できれば別体で形成されてもよい。
【００６８】
以上のように、把手部５０１ｉは、弾性体で形成されることで手で掴んだ時のグリップ力をさらに向上させることが可能となり、支持部材５０１ｈを下部筺体１０２ｂに着脱することが容易となる。
【００６９】
図１〜図４までで説明した構成により、ケーブル３はカメラ１に容易に着脱可能であり、防水性も部品点数少なく満足することができる。
【００７０】
図５（ａ）は、本発明の実施形態に係る監視カメラに配管パイプを接続した斜視図、図５（ｂ）は配管パイプを取り外した斜視図である。
【００７１】
図６は、本発明の実施形態に係る監視カメラに配管パイプを接続した場合の接続部の断面図である。
【００７２】
配管パイプ６の端部には、下部筺体１０２ｂの第１のねじ部１０３ａに螺合可能な第３のねじ部６０１が形成される。配管パイプ６をカメラ１本体にねじ込むと、ねじ端部６０１ａと下部筺体１０２ｂの溝部１０４の当接面がストッパーとなり、それ以上配管パイプ６をねじ込めない構造になっている。
【００７３】
下部筺体１０２ｂと配管パイプ６の間の防水性は、第３のねじ部６０１の外周に不図示のシールテープ、シリコンシーラントなどを付けて第１のねじ部１０３ａと第３のねじ部６０１を螺合することで満足される。
【００７４】
カメラ１と外部機器を接続する不図示の各ケーブルは、配管パイプ６の内側を通し、接続される。
【００７５】
本構成では、カメラ１本体に配管パイプ６を取り付ける時にアタッチメントなどを追加で装着する必要がないため、配管パイプ６の着脱が容易であり、見た目もすっきりすることができる。
【００７６】
以上説明した構成により、カメラ１の設置状況に応じて設置者はカメラ１に防水ケーブル３または配管パイプ６を取りつけることができ、両接続形態の切替えは容易である。
【００７７】
図１〜図６までで説明したように、本実施形態では、撮像装置の防水構造において、防水ケーブルと配管パイプが取り付け可能であり、小型、かつ、これらの接続形態の着脱が容易で、部品点数が少ないことを可能とする技術を提供することができる。
【００７８】
なお、本発明の構成は、上記実施形態に例示したものに限定されるものではなく、材質、形状、寸法、形態、数、配置箇所などは、本発明の要旨を逸脱しない範囲において適宜変更可能である。
【００７９】
貫通孔１０３は、下部筺体１０２ｂ側面に設けられた場合で説明したが、下部筺体１０２ｂの底面に設けられることも多く、それに伴う配管パイプ、防水ケーブル接続の構成に適用可能である。
【００８０】
ケーブル３は複数の単線ケーブルを集合部３０７でまとめたもので説明したが、ＬＡＮケーブル単線のみの場合でも同じ構成が可能である。
【符号の説明】
【００８１】
１  ネットワーク監視カメラ
２  撮像ユニット
３  ケーブル
１０１  ドームカバー
１０２  筺体
１０３  貫通孔
５０１  支持部材
４０１  第１のパッキン
３０１  第２のパッキン
１０３ａ  第１のねじ部
５０１ａ  第２のねじ部
５０１ｂ  鍔部
５０１ｃ  把手部
【図１】
2018084750.tif 000003
【図２】
2018084750.tif 000004
【図３】
2018084750.tif 000005
【図４】
2018084750.tif 000006
【図５】
2018084750.tif 000007
【図６】
2018084750.tif 000008